(57)【要約】      （修正有）【課題】  保護帽として十分な強度が確保され、通気性と軽量性に優れた保護帽の提供。【解決手段】  帽体の内側にハンモック、ヘッドバンド等の内装体を備えた保護帽であって、帽体が帽体主部材と、その前端部との間に間隙を設けて帽体主部材の下方に固定した庇部材とからなり、間隙により帽体前方に通気口を形成した保護帽において、帽体主部材の内壁下部に設けたブラケットと庇部材から帽体主部材の内壁方向に沿って突設させた掛止め片との嵌合により、帽体主部材と庇部材が固定される。【選択図】図３
2007084943.tif 000002
【特許請求の範囲】
【請求項１】
帽体の内側にハンモック、ヘッドバンド等の内装体を備えた保護帽であって、該帽体が帽体主部材と、その前端部との間に間隙を設けて帽体主部材の下方に固定した庇部材とからなり、前記間隙により帽体前方に通気口を形成した保護帽において、前記帽体主部材の内壁下部に設けたブラケットと前記庇部材から帽体主部材の内壁方向に沿って突設させた掛止め片との嵌合により、前記帽体主部材と前記庇部材が固定されてなる保護帽。
【請求項２】
前記庇部材の左右両端部に前記掛止め片が設けられてなる請求項１記載の保護帽。
【請求項３】
前記ブラケットが溝を有する一対のリブをもって構成され、該溝に前記掛止め片が差し込まれてなる請求項１または２記載の保護帽。
【請求項４】
前記掛止め片において、前記帽体主部材の内壁と相対しない側に前記内装体用の端部差込み片が嵌合するためのブラケットを有する請求項３記載の保護帽。
【請求項５】
前記掛止め片が中央部に方形の開口を有する枠をもって構成され、該枠を前記ブラケットに嵌め合わせてなる請求項１または２記載の保護帽。
【請求項６】
前記ブラケットが溝を有する一対のリブをもって構成され、該溝に前記内装体用の端部差込み片を嵌合させる請求項５記載の保護帽。
【請求項７】
前記庇部材が帽体の頂部乃至後頭部に向け、前記帽体主部材の内壁に沿って間隙を保持しつつ延伸する彎曲板を備え、該彎曲板の後端部が前記帽体主部材の内壁に当接固定されてなる請求項１〜６のいずれか記載の保護帽。
【請求項８】
前記彎曲板がその両面を貫通する開口を有してなる請求項７記載の保護帽。
【請求項９】
前記庇部材が前記帽体主部材の下端周縁に鍔部材として構成され、２〜８対のブラケットと掛止め片との嵌合により固定されてなる請求項１記載の保護帽。
【請求項１０】
前記ブラケットが溝を有する一対のリブをもって構成され、該溝に前記掛止め片が差し込まれてなる請求項９記載の保護帽。
【請求項１１】
前記掛止め片において、前記帽体主部材の内壁と相対しない側に前記内装体用の端部差込み片が嵌合するためのブラケットを有する請求項１０記載の保護帽。
【請求項１２】
前記掛止め片が中央部に方形の開口を有する枠をもって構成され、該枠を前記ブラケットに嵌め合わせてなる請求項９記載の保護帽。
【請求項１３】
前記ブラケットが溝を有する一対のリブをもって構成され、該溝に前記内装体用の端部差込み片を嵌合させる請求項１２記載の保護帽。
【発明の詳細な説明】
【技術分野】
【０００１】
この発明は、建設作業、土木作業、その他あらゆる作業において、頭部防護のために着用される保護帽の構造に関するものである。
【背景技術】
【０００２】
近年、通風性に優れた保護帽が知られるようになってきた。
例えば、本発明者等は先に、国際公開ＷＯ２００５／００６９０１公報（特許文献１）において、軽量で通気性に優れた保護帽を提案している。該保護帽は、帽体の庇部と帽体の頂部後方との各々に異物の遮蔽構造と雨仕舞が施された通風口を具えた保護帽において、中央部に開口を有する帯状のインナープレートが前記通風口を結んで帽体頂部に内張りされてなり、この帽体頂部とインナープレート間に形成された通風路が前記通風口に連通することを特徴とするものである。
【０００３】
また、本発明者等は特開２００１−００３２２０号公報（特許文献２）において、帽体主部材と、該帽体主部材の前部から頭頂後部に亘って被設される帽体カバー部材から成り、該帽体カバー部材の前端縁に形成された開口部と上記帽体主部材の前縁部に形成された開口部により構成される前方開口部と、上記帽体カバー部材の後端縁に形成された開口部と上記帽体主部材の上方後頭部に形成された開口部により構成される後方開口部を備えたことを特徴とするヘルメットを提案している。当該ヘルメットによれば、換気効率が良く、特にヘルメット着用者の前頭部における清涼感や爽快感を実感することができる点で優れている。
【０００４】
上記の保護帽は通気性と軽量性を確保するために帽体を二部材で構成するものであるが、十分な強度を保持しつつ通気性と軽量性を確保することは容易なことではない。
一方、通気性を考慮したヘルメットではないが、バイザーを取り外すことによって前方視野を開放することのできるバイザー付きヘルメットとして、ヘルメット本体には外側面に縦溝と非貫通横穴とが設けられ、バイザーには差し込みベロ部と裏面凸リブとが形成され、差し込みベロ部が縦溝に嵌合されるとともに裏面凸リブが非貫通横穴に嵌合されることによってバイザーが外側からヘルメット本体に取り付けられたバイザー付きヘルメット（特許文献３）も公知である。
【０００５】
この種のバイザー付きヘルメットも帽体を二部材で構成するものであるが、バイザーを着脱自在とする使用方法を前提としたものであって、特に、バイザー部分が上下方向の力に対  する抵抗力が弱く、ヘルメット全体としての強度（堅牢性）については、満足の行くものとはなっていない。
【０００６】
【特許文献１】国際公開ＷＯ２００５／００６９０１公報
【特許文献２】特開２００１−００３２２０号公報
【特許文献３】特開平６−１１６８０４号公報
【発明の開示】
【発明が解決しようとする課題】
【０００７】
本発明は、帽体の内側にハンモック、ヘッドバンド等の内装体を備えた保護帽であって、保護帽として十分な強度が確保され、通気性と軽量性に優れた保護帽を提供することを発明が解決しようとする課題とするものである。
【課題を解決するための手段】
【０００８】
本発明は、帽体の内側にハンモック、ヘッドバンド等の内装体を備えた保護帽であって、該帽体が帽体主部材と、その前端部との間に間隙を設けて帽体主部材の下方に固定した庇部材とからなり、前記間隙により帽体前方に通気口を形成した保護帽において、前記帽体主部材の内壁下部に設けたブラケットと前記庇部材から帽体主部材の内壁方向に沿って突設させた掛止め片との嵌合により、前記帽体主部材と前記庇部材が固定されてなることを特徴とするものである。
【０００９】
前記庇部材の左右両端部に前記掛止め片が設けられてなることが好ましい。
前記ブラケットが溝を有する一対のリブをもって構成され、該溝に前記掛止め片が差し込まれてなることが好ましい。
前記掛止め片において、前記帽体主部材の内壁と相対しない側に前記内装体用の端部差込み片が嵌合するためのブラケットを有することが好ましい。
前記掛止め片が中央部に方形の開口を有する枠をもって構成され、該枠を前記ブラケットに嵌め合わせてなることが好ましい。
前記ブラケットが溝を有する一対のリブをもって構成され、該溝に前記内装体用の端部差込み片を嵌合させることが好ましい。
【００１０】
前記庇部材が帽体の頂部乃至後頭部に向け、前記帽体主部材の内壁に沿って間隙を保持しつつ延伸する彎曲板を備え、該彎曲板の後端部が前記帽体主部材の内壁に当接固定されてなることが好ましい。
前記彎曲板がその両面を貫通する開口を有してなることが好ましい。
【００１１】
前記庇部材が前記帽体主部材の下端周縁に鍔部材として構成され、２〜８対のブラケットと掛止め片との嵌合により固定されてなることが好ましい。
前記ブラケットが溝を有する一対のリブをもって構成され、該溝に前記掛止め片が差し込まれてなることが好ましい。
前記掛止め片において、前記帽体主部材の内壁と相対しない側に前記内装体用の端部差込み片が嵌合するためのブラケットを有することが好ましい。
前記掛止め片が中央部に方形の開口を有する枠をもって構成され、該枠を前記ブラケットに嵌め合わせてなることが好ましい。
前記ブラケットが溝を有する一対のリブをもって構成され、該溝に前記内装体用の端部差込み片を嵌合させることが好ましい。
【発明の効果】
【００１２】
本発明によれば、通気性、軽量性、堅牢性の全てにおいて満足できる保護帽が実現される。
即ち、帽体が帽体主部材と庇部材との二部材からなり、下方に位置する庇部材が帽体主部材を下支えすると共に、両部材がブラケットと掛止め片で嵌合しているので、部材間のずれ、ガタつきを一切生じることがなく、接合強度の高い保護帽が得られる。
また、前記嵌合部を帽体の内側に設けたので、帽体外側に凹凸が形成されず、保護帽としての安全性が担保される。
前記ブラケットと掛止め片の嵌合は、省スペースながら確実に二部材を一体化して、堅牢な帽体を形成することができる。
【００１３】
庇部材の左右両端部に掛止め片を設けた保護帽によれば、前面中央部に大きな通気口を確保することができ、通気性が向上する。
溝を有する一対のリブをもって構成されたブラケットと、該溝に差し込まれる掛止め片との嵌合構造は、接触面積が大きく、軽量かつ省スペースで高い接合強度を得ることができる。
【００１４】
掛止め片が、帽体主部材の内壁と相対しない側に内装体用の端部差込み片が嵌合するためのブラケットを有する保護帽によれば、帽体を構成する二部材の嵌合部と内装体用端部差込み片の接続部とを同位置にすることができ、嵌合部が省スペースとなる。この結果、一層軽量な保護帽を低コストで製作することができる。
また、掛止め片が中央部に方形の開口を有する枠をもって構成され、該枠を前記ブラケットに嵌め合わせてなる保護帽においても、嵌合部の接触面積が大きく、軽量かつ省スペースで高い接合強度を得ることができる。
【００１５】
庇部材が帽体の頂部乃至後頭部に向け、帽体主部材の内壁に沿って間隙を保持しつつ延伸する彎曲板を備え、該彎曲板の後端部が前記帽体主部材の内壁に当接固定されてなる保護帽は、前記庇部材が前頭部と後頭部に接続固定されることから、外部衝撃力を分散させることができ、十分な接続強度を得ることができる。また、前記庇部材のずれ、ガタつきの虞がない。
前記彎曲板がその両面を貫通する開口を有してなる保護帽は、通気性に優れる。
【００１６】
庇部材が帽体主部材の下端周縁に鍔部材として構成され、２〜８対のブラケットと掛止め片との嵌合により固定されてなる保護帽は、前記した保護帽と比べて重量が若干増加するが、帽体の接合強度が高い。
【発明を実施するための最良の形態】
【００１７】
以下、本発明に係る保護帽の最良の形態を図面に基づいて説明する。
図１は、保護帽１０を斜め前方から見た斜視図であって、その主体を構成する帽体１１は、帽体主部材１２と、その前端部１３との間に水平方向に伸びる間隙１４を設けて帽体主部材１２の下方に固定した庇部材１５とからなり、間隙１４により帽体１１の前方に通気口１４ａが形成されている。
【００１８】
通気口１４ａの水平方向の長さは帽体１１の半径以上とすることが望ましい。また、通気口１４ａは必ずしも１つと限らず、複数個設けるときには当該複数個の合計長さが帽体１１の半径以上となるようにすることが好ましい。
本実施形態では、庇部材１５に補強用の縦リブ１６を設け、縦リブ１６を間隙１４内に３本位置させて通気口１４ａを仕切るように構成している。また、縦リブ１６は通気口１４ａ内に外部から番線、その他の部材が入り込むことを防止する役割も果たしている。
なお、庇部材１５は、外気の導入が円滑に行われるように流線型の曲面とすることが望ましい。
【００１９】
本実施形態では、通気性を向上させるために、帽体主部材１２の前頂部においてその内外面を貫通する複数の通気孔１８、１８・・・を穿設している。また、通気孔１８、１８・・・には、外部飛来物・落下物に対する遮蔽対策と雨水等の防水対策を行なう。
通気性を高めるためには、帽体１１前部に設けた通気口１４ａと対向する位置にも、通気口を設けることが好ましい。図１には示されていないが、本実施形態では後記する図２に示すように、後部通気口１９が帽体主部材１２の頂部後方に設けられる。前部通気口１４ａが主として外気の導入口として機能するのに対して、後部通気口１９は導入されかつ帽体１１内部に溜まった空気の排気口として機能する。
【００２０】
帽体１１の内部には、図示してないが、帽体１１に加えられた衝撃を緩和するための衝撃吸収ライナー、保護帽１０を頭部に保持すると同時に被り易くするための内装体（ハンモック、ヘッドバンド、環紐などからなる）、および、脱落防止用の顎ひもが備えられる。
【００２１】
帽体１１、即ち、帽体主部材１２と庇部材１５の材質としては、ポリエステル、ポリプロピレン、ポリエチレン、ポリカーボネート、ＡＢＳ樹脂などの合成樹脂を用いることができる。また、強度を重視する場合には、鉄、鋼、アルミニウム、アルミニウム合金、その他高強度合金も使用可能であり、保護帽が使用される用途によっては、繊維強化プラスチック製、セラミック製とすることもできる。帽体主部材１２の材質と庇部材１５の材質とは、同じであっても良いし、異なるものとしても良い。
【００２２】
図２は、帽体１１の内側を示す斜視図であり、帽体主部材１２と庇部材１５とが固定され、一体となった帽体１１が図示されている。一方、図３には、帽体主部材１２と庇部材１５とを固定する前の分離状態が図示されている。
【００２３】
帽体主部材１２の内壁下部（図２と図３では、帽体１１が倒置されているので、内壁の上端部となる。）には、庇部材１５を固定するためのブラケット２０、２０が、帽体主部材１２の前方左右２箇所に設けられている。
また、帽体主部材１２の内壁下部において後方左右２箇所に設けられたブラケット２９、２９は、内装体用の端部差込み片が嵌合するためのブラケットである。当該ブラケットおよび内装体用の端部差込み片については、実開平５−３０１１７号公報、特開２００１−３５５１１８号公報、その他、公知のブラケットおよび内装体用の端部差込み片を採用することができる。
【００２４】
一方、庇部材１５には、前記ブラケット２０、２０に対応する位置であって庇部材１２の左右両端部近傍に、帽体主部材１２の内壁方向に沿って突出する掛止め片２５、２５が設けられている。
掛止め片２５、２５を庇部材１２の左右両端部近傍としたのは、帽体１１の前方に形成される通気口１４ａを塞いだり、狭めたりすることを回避するためである。
【００２５】
掛止め片２５は方形の薄板２６からなり、図示したように、突出方向の先端には係止爪２７、２７を有している。
また、本実施形態において、掛止め片２５が帽体主部材１２の内壁と相対しない側（帽体１１の内部側）には、前記内装体用の端部差込み片が嵌合するためのブラケット２８が形成されている。ブラケット２８の形状には特別の制限はなく、前記した公知の形状を採用することができるが、後述するブラケット２０と同じように、溝を有する一対のリブをもって構成しても良い。
【００２６】
帽体主部材１２において、掛止め片２５に対応するブラケット２０は、溝２１を有する一対のリブ２２、２２をもって構成され、溝２１に掛止め片２５が差し込まれて嵌合し、掛止め片２５の係止爪２７、２７がリブ２２、２２の先端２２ａ、２２ａに係止することにより、帽体主部材１２と庇部材１５とが固定される。
符号２２ｂは、掛止め片２５を構成する平坦な薄板２６に適合するように、帽体主部材１２の内壁曲面を補正してストレートな溝２１を形成するための補助リブである。
【００２７】
図２と図３に示すように、一対のリブ２２、２２（または、一対のリブ２２、２２と補助リブ２２ｂ、２２ｂ）は、掛止め片２５の差込み方向に垂直な断面がアングル又はチャンネルとされ、掛止め片２５を抱え込むような形状としたので、部材の捩れや曲げに対して抵抗力を有している。
また、庇部材１５においてその左右両端１５ａ、１５ａは、帽体主部材１２と庇部材１５とが一体化する際に、帽体主部材１２の下端周縁の左右両端１２ａ、１２ａと重なり合い、当該接触部分において帽体主部材１２を下支えするようになっている。
【００２８】
本実施形態において、庇部材１５は、帽体１１の頂部乃至後頭部に向け、帽体主部材１２の内壁に沿って間隙を保持しつつ延伸する彎曲板２３を備える。彎曲板２３はその内外両面を貫通する複数の開口２４、２４・・・を有している。
本発明では、前部通気口１４ａ、通気孔１８、および後部通気口１９が外気に開放されているので、帽体１１内には外気が流通する。特に、前部通気口１４ａから導入される大量の外気が、帽体主部材１２の内壁面に沿って後部通気口１９に方向付けされ、分散されずに流通する結果、帽体１１の内部に貯留し易い蒸れた空気も、この外気流に同伴されて瞬時に帽体外部に排気される。また、本発明の保護帽の構造によれば、前部通気口１４ａから流入する大量の外気は、保護帽装着者の頭部において最も冷気に敏感な部位である額に直接接触することになるので、冷却効果が体感上極めて優れている。
【００２９】
更に、彎曲板２３を備える保護帽にあっては、帽体主部材１２の内壁と彎曲板２３との間に形成された間隙が通風路となり、かつ、帽体１１の内部とは、彎曲板２３の開口２４、２４・・・により連通するので、通気性が一層、促進される。
【００３０】
彎曲板２３の後端部２３ａは、帽体主部材１２の内壁に当接させ、或いは、該内壁に形成したブラケット（図示せず。）に当接固定させれば、帽体主部材１２と庇部材１５とが３箇所（前２箇所と後１箇所）で固定され、ずれ、ガタつきの虞がなくなり好ましい。
上記のように、彎曲板２３は通気性を促進する役割を担うものであるが、可及的に小片として、帽体１１の軽量化を最大限に図ることが望ましい。
【００３１】
図４に、掛止め片２５の変形例を要部斜視図をもって示す。本実施形態では、掛止め片２５を中央部に方形の開口４０ａを有する枠４０により構成し、枠４０をブラケット２０の外側から嵌め合わせることにより、帽体主部材１２と庇部材１５とを固定する。なお、ブラケット２０は、前記図２、図３で説明した内装体用の端部差込み片が嵌合するためのブラケット２８と兼用するようにして、該端部差込み片と同位置となるようにすることが好ましい。
ブラケット２８の形状には特別の制限はなく、公知の形状を採用することができ、例えば、前記した溝を有する一対のリブをもって構成しても良い。
なお、図４において、図２と図３に示した実施形態と同一の部材には、それと同一の符号を付して説明を省略する。
【００３２】
上記した実施形態とは異なり、内装体用の端部差込み片が帽体主部材１２と嵌合する位置を、帽体主部材１２と庇部材１５との固定位置（掛止め片２５とブラケット２０との嵌合位置）と一致させない態様も、帽体１１内部の配置が混雑することになるが実施可能である。この場合、内装体用の端部差込み片は前記したブラケット形式により嵌合固定する他、従来公知の、「ボス止め」や「リベット止め」としても良いことは勿論である。
【００３３】
図５は、帽体１１を構成する庇部材１５を、帽体主部材１２の下端周縁に鍔部材５０として構成した実施形態を示す斜視図であり、理解し易いように、帽体主部材１２と鍔部材５０とを分離して示している。
本実施形態では、図１と図２に示した実施形態と同様、鍔部材５０の前方左右両端部近傍に、帽体主部材１２の内壁方向に沿って起立する掛止め片２５、２５が設けられているが、これに限らず、２対〜８対のブラケット２０と掛止め片２５との嵌合により鍔部材５０の全周を均等に固定するようにしても良い。この場合、特に、４対及び６対の嵌合がバランス上、好ましい。
【００３４】
本実施形態でも、ブラケット２０は、前記図２、図３で説明した内装体用の端部差込み片が嵌合するためのブラケット２８と兼用するようにして、該端部差込み片と同位置となるようにすることが好ましい。
図５において、図１〜図３に示した実施形態と同一の部材には、それと同一の符号を付して説明を省略する。
【００３５】
上述した保護帽の全てについて、労働大臣が定める規格（１９９１年６月５日付の労働省告示第３９号）による耐貫通試験（第６条および第７条）と衝撃吸収試験（第８条）を行ったところ、それぞれ同条所定の性能が得られた。
【産業上の利用可能性】
【００３６】
本発明の保護帽は、種々の建設作業や土木作業、重機操作、作業用車両、船舶、航空機の運転、建物内外における警備、警察、消防等の作業に対して使用することができる。また、建築物やダム等の建設現場、道路やトンネル等工事現場、造船所、製鉄所、鉄工所、鉱石採取場、その他の各種作業現場や工場等において、幅広く使用することができるものである。
【図面の簡単な説明】
【００３７】
【図１】保護帽を斜め前方から見た斜視図である。
【図２】帽体１１の内側を示す斜視図である。
【図３】帽体主部材１２と庇部材１５とを固定する前の分離状態を示す斜視図である。
【図４】掛止め片２５の変形例を示す要部斜視図である。
【図５】帽体の他の変形態様を構成する庇部材と帽体主部材とを、分離して示す斜視図である。
【符号の説明】
【００３８】
１０        保護帽
１１        帽体
１２        帽体主部材
１３        帽体主部材の前端部
１４ａ      前部通気口
１５        庇部材
１９        後部通気口
２０        庇部材固定用ブラケット
２１        溝
２２        リブ
２３        彎曲板
２４        開口
２５        掛止め片
２８、２９  内装体端部差込み片の嵌合用ブラケット
４０        掛止め片としての枠
５０        鍔部材
【図１】
2007084943.tif 000003
【図２】
2007084943.tif 000004
【図３】
2007084943.tif 000005
【図４】
2007084943.tif 000006
【図５】
2007084943.tif 000007